(57)【特許請求の範囲】
【請求項１】
粘着テープ巻回体を回転自在に保持するテープ保持部と，前記粘着テープ巻回体から引き出した粘着テープを所望の長さに切断するテープ切断刃を有するテープカッターと，を備えたテープディスペンサーにおいて，
前記粘着テープは，前記粘着テープの長手方向の両端縁から内側の略中央部へ入った領域の前記テープ切断刃が当接する位置に，前記粘着テープの長手方向に沿って，所定の間隔でスリットライン，ミシン目或いは貫通／未貫通孔が設けられているものであり，
前記テープカッターは，所定大きさの底壁面と，前記底壁面の外周辺から所定高さ立設され前後で対向する前壁面および後壁面と，前記前壁面および後壁面の間に位置する左右の側壁面と，前記前壁面，後壁面および前記左右の側壁面の上方にあって前記底壁面と対向した上壁面と，を有し，
前記テープ切断刃は，
前記前壁面の頂辺中央部に内角θ１の突起が設けられた正面と，
前記突起から前記後壁面へ向って下り勾配で傾斜させた，粘着テープを保持する保持面と，
前記突起から左右の側壁面へ向って下り勾配で傾斜させた左右の傾斜側面と，
を有し，
前記正面の突起の内角θ１は鈍角に形成されていることを特徴とするテープディスペンサー。
【請求項２】
前記正面の突起の内角θ１は１２０°〜１６０°の範囲にあることを特徴とする請求項１に記載のテープディスペンサー。
【請求項３】
前記前壁面と水平面との間の角度θ２は６５°〜１０５°の範囲にあることを特徴とする請求項１または２に記載のテープディスペンサー。
【請求項４】
前記左右の傾斜側面と前記正面との間の角度θ３はそれぞれ２０°〜１１０°の範囲にあり，前記保持面と水平面との間の角度θ４は０°〜６５°の範囲にあることを特徴とする請求項１〜３のいずかに記載のテープディスペンサー。
【発明の詳細な説明】
【技術分野】
【０００１】
本発明は，粘着テープを切断するテープディスペンサーに係り，さらに詳しくは，手指の怪我の恐れがなく，安心して粘着テープを切断できるテープディスペンサーに関する。
【背景技術】
【０００２】
従来のテープディスペンサーは，テープカッターを備えている。このカッターは概ね鋸状やナイフ形状の切断刃が用いられているため，これらの切断刃によって使用者が手指を怪我する危険性があった。
【０００３】
この危険性を回避するために，様々に工夫したテープディスペンサーが提案されている。例えば，下記特許文献１に記載されたテープディスペンサーは，常態において切断刃が収納され，テープ切断時に露出されるようにしたものである。具体的には，このテープディスペンサーは，切断刃を有する本体部と，この本体部に対し揺動自在に設けたレバーと，本体部に挿通されたかんぬきおよび板バネと，を備え，常態では前記かんぬきの作用によりレバーが切断刃先露出方向にロックされ，切断刃先が露出されないようにしたものである。
【０００４】
また，下記特許文献２に記載されたテープディスペンサーは，切断刃をカバーするカバー体を設けて，テープ切断時に，このカバー体が下方へ移動するようにしたものである。下記特許文献３に記載されたテープディスペンサーは，切断刃を保護するカバー板を，テープカッター使用時と不使用時とに分け，指先でカバー板を回動させてテープ切断刃を露出或いは隠蔽するようにしたものである。下記特許文献４に記載されたテープディスペンサーは安全保護部材を設けたものである。さらに，下記特許文献５に記載されたテープディスペンサーは手指が刃先に触れないようにその刃を取り囲む手指保護部を設けたものであり，また下記特許文献６に記載されたテープディスペンサーはカッターを一つの山刃と二つの谷刃とで構成したものである。
【先行技術文献】
【特許文献】
【０００５】
【特許文献１】特開平０９−２０８１１４号公報
【特許文献２】特開２００２−３０７３７３号公報
【特許文献３】特開２００１−１４６３５６号公報
【特許文献４】実用新案登録第３００９７４８号公報
【特許文献５】特許第３８７８６５５号公報
【特許文献６】特許第４８９５７６９号公報
【発明の概要】
【発明が解決しようとする課題】
【０００６】
上記各特許文献に記載されたテープディスペンサーは，テープカッターの切断刃は従来のものと同じ鋸状或いはナイフ形状のものを使用し，それらの刃先を保護カバーなどの部材で蔽って，常態では手指などが触れないようにしたものである。しかし，この構成では，保護カバーなどの部材が外れると，刃先が露出して危険になる。また，保護カバーなどの部材は，いずれも切断刃を蔽い或いは露出させる可動機構などが必要となり，構造が複雑で，生産コスト高を招く。また，このような切断刃は，見た目が悪く，刃先を鋭利にすると刃こぼれが生じて寿命が短くなり，また一方で，刃の間に塵などが溜り或いは破損し易くなるなどの課題が潜在している。
【０００７】
本発明は，上記の従来技術が抱える課題を解決するためになされたものである。すなわち，本発明の目的は，手指の怪我の恐れがなく，安心して粘着テープを切断できるテープディスペンサーを提供することにある。
【０００８】
また，本発明の他の目的は，破損や塵溜りなどの発生の恐れがなく， 破断時の手応えがよく，綺麗な破断面にして軽い力で粘着テープを切断できるテープディスペンサーを提供することにある。
【０００９】
さらに，本発明の他の目的は，複数のスリットを所定の間隔で配列した粘着テープを鋭利な切断刃を使用することなく，破断時の手応えがよく，綺麗な破断面にして軽い力で切断できるテープディスペンサーを提供することにある。
【００１０】
さらにまた，本発の他の目的は，単純な構造にして，安価なコストで生産でき，誰もが簡単に使えるテープディスペンサーを提供することにある。
【課題を解決するための手段】
【００１１】
上記目的を達成するために，本発明の第１の態様のテープディスペンサーは，粘着テープ巻回体を回転自在に保持するテープ保持部と，前記粘着テープ巻回体から引き出した粘着テープを所望の長さに切断するテープ切断刃を有するテープカッターと，を備えたテープディスペンサーにおいて，
前記粘着テープは，前記粘着テープの長手方向の両端縁から内側の略中央部へ入った領域の前記テープ切断刃が当接する位置に，前記粘着テープの長手方向に沿って，所定の間隔でスリットライン，ミシン目或いは貫通／未貫通孔が設けられているものであり，
前記テープカッターは，所定大きさの底壁面と，前記底壁面の外周辺から所定高さ立設され前後で対向する前壁面および後壁面と，前記前壁面および後壁面の間に位置する左右の側壁面と，前記前壁面，後壁面および前記左右の側壁面の上方にあって前記底壁面と対向した上壁面と，を有し，
前記テープ切断刃は，
前記前壁面の頂辺中央部に内角θ１の突起が設けられた正面と，
前記突起から前記後壁面へ向って下り勾配で傾斜させた，粘着テープを保持する保持面と，
前記突起から左右の側壁面へ向って下り勾配で傾斜させた左右の傾斜側面と，
を有し，
前記正面の突起の内角θ１は鈍角に形成されていることを特徴とする。
【００１２】
第２の態様のテープディスペンサーは，第１の態様のテープディスペンサーにおいて，前記正面の突起の内角θ１は１２０°〜１６０°の範囲にあることを特徴とする。
【００１４】
第３の態様のテープディスペンサーは，第１または２の態様のテープディスペンサーにおいて，前記前壁面と水平面との間の角度θ２は６５°〜１０５°の範囲にあることを特徴とする。
【００１５】
第４の態様のテープディスペンサーは，第１〜３のいずれかの態様のテープディスペンサーにおいて，前記左右の傾斜側面と前記正面との間の角度θ３はそれぞれ２０°〜１１０°の範囲にあり，前記保持面と水平面との間の角度θ４は０°〜６５°の範囲にあることを特徴とする。
【発明の効果】
【００１６】
第１の形態のテープディスペンサーによれば，テープ切断刃の正面の突起の内角θ１が鈍角に形成されているので，粘着テープとして粘着テープの長手方向の両端縁から内側の略中央部へ入った領域の前記テープ切断刃が当接する位置に，前記粘着テープの長手方向に沿って，所定の間隔でスリットライン，ミシン目或いは貫通／未貫通孔が設けられているものを用いた場合，粘着テープ切断時に指先が切断刃に触れても怪我する恐れがなく，しかも，破断時の手応えがよく，綺麗な破断面にして軽い力で切断できる。また，単純な構造なので，安価なコストで生産でき，誰でもが簡単に使えるものとなる。
【００１７】
第２の形態のテープディスペンサーによれば，正面の正面の突起の内角θ１が１２０°〜１６０°に形成されているので，正面辺上での高低差が減り，粘着テープの中央部に均一な垂直応力が掛かり，破断時の手応えがよく，綺麗な破断面にして軽い力で切断できる。
【００１８】
第３の形態のテープディスペンサーによれば，前壁面と水平面との間の角度θ２で傾斜しているので，正面辺上での高低差が減り，粘着テープの中央部に均一な垂直応力がかかり，破断時の手応えがよく，綺麗な破断面にして軽い力で切断できる。
【００１９】
第４の形態のテープディスペンサーによれば，前記左右の傾斜側面と前記正面との間の角度θ３はそれぞれ２０°〜１１０°の範囲にあり，前記保持面と水平面との間の角度θ４は０°〜６５°の範囲にあるので，正面辺上での高低差が減り，粘着テープの中央部に均一な垂直応力がかかり，破断時の手応えがよく，綺麗な破断面にして軽い力で切断できる。
【図面の簡単な説明】
【００２０】
【図１】本発明の実施形態に係るテープディスペンサーの斜視図である。
【図２】図２Ａは図１のテープディスペンサーにセットされる粘着テープ巻回体の斜視図，図２Ｂは粘着テープの平面図である。
【図３】図３Ａは図２ＢのIIIＡ部分の拡大図，図３Ｂは図３ＡのIIIＢ−IIIＢの断面図である。
【図４】図４Ａは図１のIVＡ部分の拡大図，図４Ｂはテープカッターの斜視図である。
【図５】図５Ａは図４Ｂの正面角を示したテープカッターの斜視図，図５Ｂは正面角の検証結果を示した説明図である。
【図６】図６Ａは図４Ｂの前面傾斜角を示したテープカッターの側面図，図６Ｂは前面傾斜角の検証結果を示した説明図である。
【図７】図７Ａ〜図７Ｄは図６Ａの前面傾斜角を示したテープカッターの側面図である。
【図８】図８Ａは図４Ｂの側面角を示したテープカッターの側面図，図８Ｂは側面角の検証結果を示した説明図である。
【図９】図９Ａは図４Ｂの保持面角を示したテープカッターの側面図，図９Ｂはテープ角と保持面角の大小を示した側面図，図９Ｃは保持角の検証結果を示した説明図である。
【図１０】図１０Ａは粘着テープ切断時の右手の移動軌跡を示した移動軌跡チャート図，図１０Ｂは図１０Ａの移動軌跡データをＸＹ座標でプロットした座標データ表図である。
【図１１】図１０Ｂの座標データから速度を計算し示した速度チャート図である。
【図１２】図１０Ｂの座標データから加速度を計算し示した加速度チャート図である。
【図１３】図１１，図１２の速度チャートおよび加速度チャートとテープ切断ステップとの関係を示したチャート関連図である。
【図１４】テープディスペンサーの評価指標を説明する加速度チャート図である。
【発明を実施するための形態】
【００２１】
以下，図面を参照して，本発明を実施するための形態を説明する。但し，以下に示す実施形態は，本発明の技術思想を具体化するためのテープディスペンサーを例示するものであって，本発明をこれらに特定することを意図するものではなく，特許請求の範囲に含まれるその他の実施形態のものにも均しく適応し得るものである。
【００２２】
図１を参照して，本発明の実施形態に係るテープディスペンサーを説明する。なお，図１は本発明の実施形態１に係るテープディスペンサーの斜視図である。
【００２３】
本発明の実施形態に係るテープディスペンサー（以下，ディスペンサーという。）１０は，ディスペンサー本体１１と，粘着テープ巻回体１６がセットされるテープ保持部１２ｃと，粘着テープ巻回体１６から引き出した粘着テープ１７を所定の長さに切断するテープカッター（以下，カッターという。）１３と，で構成されている。
【００２４】
ディスペンサー本体１１は，上壁面が開口した略箱状筐体で形成されている。このディスペンサー本体１１は，テーブルや机等に載置される載置面となる矩形状の底壁面１１ｂと，この底壁面の長尺辺から立設された一方の側壁面１１ｃおよび他方の側壁面１１ｄと，底壁面１１ｂの短尺辺から立設されテープカッター（以下，カッターという。）１３が装着される前壁面１１ｅと，この前壁面に対向する後壁面１１ｆと，底壁面１１ｂと対向し粘着テープ巻回体１６が開口を有する上面１１ａと，を備え，前壁面１１ｅにはカッターが装着される凹み穴１２ａ，また，上面１１ａには粘着テープ巻回体１６がセットされる開口１２ｂが形成されている。凹み穴１２ａは，カッター本体１４０(図４Ｂ参照）が嵌入できる大きさの穴で形成されている。この形状にすることによって，後記するカッター１３を交換自在に装着できる。また，ディスペンサー本体１１は，樹脂材，金属材料或いは木材などで形成されている。
【００２５】
また，ディスペンサー本体１１の一方および他方の側壁面１１ｃ，１１ｄには，粘着テープ巻回体１６が保持されるテープ保持部１２ｃが形成されている。このテープ保持部１２ｃは，ディスペンサー本体１１の底壁面１１ｂ，両側壁面１１ｃ，１１ｄおよび後壁面１１ｆによって形成されている。すなわち，一方および他方の側壁面１１ｃ，１１ｄの内側に開口１２ｂを形成し，粘着テープ巻回体１６が取り付けられた回転自在な芯材１６ａに設けられた軸部１６ｂと一方および他方の側壁面１１ｃ，１１ｄの内側に形成された軸部１６ｂが挿入される溝１１ｇと組み合わせることで保持される構造になっている。
【００２６】
また，一方および他方の側壁面１１ｃ，１１ｄのカッター１３が設けられた側には，深い凹み部１１ｈがそれぞれ形成されている。この凹み部１１ｈは，粘着テープ１７を引き出すときに，使用者が指等を挿し込む部分となる。
【００２７】
図２，図３を参照して，粘着テープを説明する。なお，図２Ａは図１のテープディスペンサーにセットされる粘着テープ巻回体の斜視図，図２Ｂは図２Ａの粘着テープ巻回体に巻回された粘着テープの平面図である。
【００２８】
粘着テープ１７は，例えば所定の横幅および肉厚を有する長尺のセロハンからなり，一方の面（以下，第１の面ともいう。）１８ｂに複数のスリット１９１を所定の間隔をあけて一列ライン状に配設したスリットライン１９を設けたテープ１８と，このテープのスリットラインを設けた面に粘着剤を塗布して形成した粘着層２０と，他方の面（以下，第２の面ともいう。）１８ａに所定の厚さに剥離剤を塗布した離型層（図示省略）と，で構成されている。
【００２９】
テープ１８は，セロハンに限定されず，その他の材料，例えば，紙，樹脂製フィルム，生分解性を有する有機物又は無機物のフィルム，二軸延伸ポリプロピレン，二軸延伸ポリエチレンテレフタレート，ゴム，金属性フィルム，木材製フィルムなど周知の材料を使用することができる。このテープ材は透明材或いは不透明材のいずれでもよいが，本実施形態では透明材のテープで説明する。また，粘着剤も，周知のもの，例えば，スチレンブタジエンゴム（ＳＢＲ），天然ゴム，ブチルゴム等のゴム系の粘着剤や，アクリル系の合成粘着剤等を用いることができる。さらに，剥離剤も周知のもの，例えばシリコン系のものを使用できる。
【００３０】
スリットライン１９は，テープ１８の第１の面１８ｂにおいて，長手方向の両端縁から内側の略中央部へ入った領域に，テープ１８の長手方向に沿って複数のスリット１９１を所定の間隔をあけて一列に配列したライン状のものからなる。一連のスリット１９１は，図３に示すように，第１の面１８ｂにおいて，テープ１８の長手方向と直交する方向に所定の長さ，およびテープ１８の長手方向において，スリット１９１の長さより短長の辺で囲まれたエリアに所定大きさの開口を有した所定の深さの凹状溝で形成されている。なお，第１の面１８ｂは，図２ではテープの裏面となっており，第２の面（表面）１８ａ[t3]からは裏面のスリット１９１が透けて見えている。
【００３１】
この粘着テープ１７をロール状に巻回したものが，図２Ａに示したような粘着テープ巻回体１６となる。この粘着テープ巻回体１６は中心に所定径の芯材１６ａが設けられ，この芯材１６ａによりディスペンサー１０のテープ保持部１２ｃにセットされる。
【００３２】
図４を参照して，カッターを説明する。なお，図４Ａは図１のIVＡ部分の拡大図，図４Ｂは図４Ａのカッターの斜視図である。
【００３３】
カッター１３は，図４Ｂに示すように，所定大きさの略矩形状の底壁面１４ａと，この底壁面の外周辺から所定高さ立設され前後に対向する前後壁面１４ｂ，１４ｃと，これらの前後壁面間に位置する左右の側壁面１４ｄ，１４ｅと，これらの前後壁面および左右側壁面の上方にあって底壁面１４ａと対向した上壁面１４ｆと，からなる略直方体形状のカッター本体１４０を備え，上壁面１４ｆに粘着テープ１７を切断するテープ切断刃（以下，刃という。）１５が形成された構成となっている。このカッター本体１４０は，剛性体の金属材或いは樹脂材などの剛体で作製されている。
【００３４】
この刃１５は，図４Ｂに示すように，前壁面１４ｂの上辺中央部の頂点に所定の内角θ１（以下，正面の突起の内角θ１という。）で山型に尖らせた突起１５Ｔを設けた正面１５１と，この突起１５Ｔから後壁面１４ｃへ向って所定の下り勾配（水平面に対する角度θ４，以下，保持面角θ４という。）で傾斜させ粘着テープを保持する保持面１５２と，同突起１５Ｔから左右の側壁面１４ｄ，１４ｅへ向って所定の下り勾配（傾斜側面１５３と正面との間の角度θ３，以下，傾斜面角θ３という。）で傾斜させた左右の傾斜側面１５３，１５３と，で構成されている。なお，正面１５１は前壁面１４ｂの一部或いは全部で形成されている。
【００３５】
これらの正面，保持面および左右の傾斜側面は，粘着テープを所望の条件で切断できるように，それらの形状が決定される。
【００３６】
この刃１５の形状（以下，刃型ともいう。）は，前壁面１４ｂの正面１５１の形状が重要になっており，この正面形状によって，粘着テープ１７の切断性の良否が左右される。この正面形状は，例えば保持面１５２などと関係し，粘着テープ１７のスリット１９１の中央部から外側へ，スリットの割れ目に合わせて力を掛けたときに，軽い力で粘着テープ１７が切断できるように，スリットに有効な正面形状が決定される。すなわち，この刃型形状を，例えば，カッター本体の上壁面の頂点から，この壁面の全周に辺および面を形成した形状にすると，うまく切断ができず，また，頂点を中央部からずらして片方へ偏重した形状にすると，右手の動きに合わせた形状の補正が必要となる。
【００３７】
以上から，基本となる刃型形状は，頂点から下降した辺（ハ字状の辺）上での高低差を減らし，穏やかな山型にすることが有効であることが判明した。すなわち，正面の角度を大きくし，辺での高低差を減らすと，スリット方向に対して均一な垂直応力が掛かり直線状に切断されることが確認された。これらの確認事項を前提に，正面，保持面および左右傾斜側面の形状をどのようにすれば，スリットを設けた粘着テープを所望の条件で切断できるかどうかの評価指標が決定される。
【００３８】
この評価指標は，粘着テープを切断する際の手の動きの解析，すなわち，動作解析（いわゆる，モーションキャプチャー分析：座標位置の計測）によって決定される。
【００３９】
以下，図１０〜図１４を参照して，このモーションキャプチャー分析を説明する。なお，図１０は粘着テープ切断時の右手の移動軌跡を示した移動軌跡チャート図，図１０Ｂは図１０Ａの移動軌跡データをＸＹ座標でプロットした座標データ表図，図１１は図１０Ｂの座標データから速度を計算した速度チャート図，図１２は座標データから加速度を計算した加速度チャート図，図１３は速度チャートおよび加速度チャートとテープ切断ステップとの関係を示したチャート関連図，図１４は加速度から切れやすさの評価指標を導出する評価導出チャート図である。
【００４０】
まず，図１０Ａを参照して，図１０Ａの記号Ｓは右手の手首部分および記号ｂ１は右手人差し指の先端部（示指末端）を指し，同じく記号Ｓを付した細破線は手首Ｓが始点ｓｔ１から終点ｔｅ１まで動かした移動軌跡を指し， 同じく記号ｂ１を付した長破線は指先ｂ１が始点ｓｔ１から終点ｔｅ１まで動かした移動軌跡を（１／１２０秒単位）ＸＹ座標にプロットしたものとなっている。また，記号ｂ１−Ｓは，指先のみの動きを示している。これらの移動軌跡は，個々のＸＹ座標値で纏めると図１０Ｂに示した座標データのとおりとなる。なお，図１０Ａの右手の位置は，粘着テープの先端を把持した状態を図示している。
【００４１】
この座標データから，以下の式（１）により速度Ｖを計算すると，図１１の速度チャートが得られた。
0006557919.tif 000002
【００４２】
また，同様に，以下の式（２）により加速度を計算すると，図１２の加速度チャートが得られた。
0006557919.tif 000003
【００４３】
これらの速度チャート（図１１）および加速度チャート（図１２）を粘着テープ１７の切断に至るステップ（以下，切断ステップともいう。）と関連付けると，関連チャート（図１３）が得られる。この切断ステップは，図１３に示すように，右手を動かし，指先（親指と人指し指）で粘着テープ１７を把持する「移動」ステップ（以下，第１移動ステップという。）と，把持したテープを引き出し粘着テープ巻回体１６から粘着テープ１７を「はがす」ステップと，さらに粘着テープ１７を所定長さ引き出すための「移動」ステップ（以下，第２移動ステップという。）と，その後，粘着テープ１７を切断する「切る」ステップと，さらに切断した粘着テープ片を移動させる「移動」ステップ（以下，第３移動ステップという。）となっている。なお，「はがす」ステップと第２移動ステップとで切断する粘着テープ片の長が決まる。
【００４４】
これらの切断ステップと速度チャートおよび加速度チャートとを関係付けると，図１３に示した関連図が得られる。これらの関連図から，破断直後の加速度から粘着テープ１７の「切れやすさの評価指標」が導出される。この評価指標は，本実施形態では「破断時の手応え」および「破断面の綺麗さ」とした。この切れやすさの評価指標を用いて，正面角，前面傾斜角，側面角および保持面角の検証を行った。
【００４５】
図５〜図９へ戻って，これらの図を参照して，正面の突起の内角θ１，前面傾斜角θ２，傾斜面角θ３および保持面角θ４の検証結果を説明する
【００４６】
ア  正面の突起の内角θ１の検証
図５を参照して，正面の突起の内角θ１の検証結果を説明する。なお，図５Ａは図４Ｂの正面の突起の内角を示したテープカッターの斜視図，図５Ｂは正面角の検証結果を示した説明図である。
【００４７】
正面の突起の内角θ１の範囲として，１００°〜１５０°の刃を試作し，「切れやすさの評価指標」の「破断時の手応え」および「破断面の綺麗さ」の観点から，これらを比較した。その結果，１００°〜１１８°の範囲において，Ｖ字の破断面となり，また１１８°〜１３８°の範囲では破断面に偏りがあることが確認でき，さらに１３８°〜１５０°の範囲では真直ぐ切れることが確認できた。この結果から，正面の突起の内角θ１は鈍角であって，その中で１４０°が好ましい。
【００４８】
イ  前面傾斜角θ２の検証
図６，図７を参照して，前面傾斜角の検証結果を説明する。なお，図６Ａは図４Ｂの前面傾斜角を示したテープカッターの側面図，図６Ｂは前面傾斜角の検証結果を示した説明図，図７Ａ〜図７Ｄは図６Ａのテープカッターの前面傾斜角の角度を変えた側面図である。
【００４９】
前面傾斜角θ２の範囲として，６５°〜１０５°の刃を試作し，破断時の手応え，破断面の綺麗さを比較した。その結果，６５°〜７０°の範囲では切れないことが多く，６５°〜１０５°の範囲では角度によらず比較的直線に切れることが確認できた。この結果から，前面傾斜角は６５°〜１０５°の範囲にあって，その中で７５°が好ましい。
【００５０】
ウ  傾斜面角θ３の検証
図８を参照して，傾斜面角θ３の検証結果を説明する。なお，図８Ａは図４Ｂの傾斜面角を示したテープカッターの側面図，図８Ｂは傾斜面角θ３の検証結果を示した説明図である。
【００５１】
傾斜面角θ３の範囲として，２０°〜１４０°の刃を試作し，破断時の手応え，破断面の綺麗さを比較した。その結果，２０°〜４０°の範囲では，Ｖ字の破断面，４０°〜８０°範囲では破断面に偏り，６０°〜１１０°では真直ぐ切れることが確認できた。この結果から，傾斜面角θ３は２０°〜１１０°の範囲にあって，その中で７０°が好ましい。
【００５２】
エ  保持面角θ４の検証
図９を参照して，保持面角θ４の検証結果を説明する。なお，図９Ａは図４Ｂの保持面角を示したテープカッターの側面図，図９Ｂはテープ角と保持面角との大小関係を示した側面図，図９Ｃは保持面角の検証結果を示した説明図である。
【００５３】
保持面角θ４の範囲として，０°〜６５°の刃を試作し，破断時の手応え，破断面の綺麗さを比較した。その結果，保持面角とテープ角との大小関係で，保持面角が大きい範囲では破断面は正面角に依存するが直線状に切れ，また，保持面角が小さい範囲では破断面は正面角に依存することが確認できた。この結果から，保持面角θ４は０°〜６５°の範囲が好ましい。
【００５４】
このディスペンサー１０によれば，テープ保持部１２ｃに粘着テープ巻回体１６をセットし，この粘着テープ巻回体１６から粘着テープ１７を所望の長さ引き出し，カッター１３により切断できる。さらに詳述すると，粘着テープ１７を切断する場合は，図１，図１０Ａに示すように，まず，粘着テープ巻回体１６から粘着テープ１７を所望の長さ引き出し，テープカッター１３のテープ切断刃１５に押し当てる。このとき，テープ切断刃１５の突起１５Ｔが粘着テープのスリット１９１に当接する。
【００５５】
次いで，粘着テープ１７をテープ切断刃１５に対して下方に若しくは斜め下方に引っ張ると，スリットを構成する凹状溝の開口が開き拡大され，この拡大につれて，粘着テープ１７の全体が破断される。すなわち，粘着テープをテープ切断刃１５に押し当てることで，粘着テープは切断ではなく破断される。
【００５６】
このディスペンサーは，従来の鋭利な切断刃に代えての鈍角な頂部山型の突起で破断（切断）できるので，手指などが怪我することがなく安全にかつ容易に切断できる。また，破損や塵溜りなどの発生の恐れがなく，複数のスリットを所定の間隔を配列した粘着テープを鋭利な切断刃を使用することなく軽い力で切断できる。また，単純な構造なので，安価なコストで生産でき，誰でもが簡単に使える。なお，粘着テープは，スリットラインを持ったものだけでなく，他のテープ，例えば，ミシン目或いは貫通/未貫通孔を設けたものでもよい。
【符号の説明】
【００５７】
１０            テープディスペンサー
１１            ディスペンサー本体
１２ｃ          テープ保持部
１３            テープカッター
１４０            カッター本体
１４a            底壁面
１４ｂ            前壁面
１４ｃ            後壁面
１４ｄ，１４e      側面壁
１４ｆ            上壁面
１５              テープ切断刃
１５Ｔ            突起
１５１            正面
１５２            保持面
１５３            傾斜側面
１６              粘着テープ巻回体
１７              粘着テープ
１９              スリットライン
【図１】
0006557919.tif 000004
【図２】
0006557919.tif 000005
【図３】
0006557919.tif 000006
【図４】
0006557919.tif 000007
【図５】
0006557919.tif 000008
【図６】
0006557919.tif 000009
【図７】
0006557919.tif 000010
【図８】
0006557919.tif 000011
【図９】
0006557919.tif 000012
【図１０】
0006557919.tif 000013
【図１１】
0006557919.tif 000014
【図１２】
0006557919.tif 000015
【図１３】
0006557919.tif 000016
【図１４】
0006557919.tif 000017